(57)【要約】【課題】その斬新さや興趣性の高さにより販売促進を図ることができるだけでなく、宣伝広告用商品や贈答品、記念品としても用いることができる文房具類を提供すること。【解決手段】表紙１および裏表紙２と、表紙１および裏表紙２の間に設けられたシート状部材３とを備え、前記表紙１および裏表紙２が、服または服を着用した人の一部を模した外観を呈している。【選択図】図１
0003127065.tif 000002
【実用新案登録請求の範囲】
【請求項１】
表紙および裏表紙と、表紙および裏表紙の間に設けられたシート状部材とを備え、前記表紙および裏表紙が、服または服を着用した人の一部を模した外観を呈していることを特徴とする文房具類。
【請求項２】
前記表紙が人の首を模した首部分を上部中央から上方に突出させた状態で有すると共に、この首部分の周囲に襟を模した襟部分を形成してある請求項１に記載の文房具類。
【請求項３】
前記表紙および裏表紙が背表紙を介して一体的に形成されている請求項１または２に記載の文房具類。
【請求項４】
前記表紙および裏表紙を布で被覆してある請求項１〜３のいずれかに記載の文房具類。
【請求項５】
アルバムであり、前記シート状部材が写真を保持するように構成されている請求項１〜４のいずれかに記載の文房具類。
【請求項６】
ノートブック、手帳、日記帳、スケッチブックまたは本であり、前記シート状部材を紙で形成してある請求項１〜４のいずれかに記載の文房具類。
【請求項７】
前記表紙および裏表紙が、ＴシャツまたはＴシャツ姿またはポロシャツまたはポロシャツ姿またはＹシャツまたはＹシャツ姿を模した外観を呈している請求項１〜６のいずれかに記載の文房具類。
【考案の詳細な説明】
【技術分野】
【０００１】
本考案は、例えば、アルバム、ノートブック、手帳、日記帳等の表紙および裏表紙を備えた文房具類に関する。
【背景技術】
【０００２】
従来より、種々のアルバム、ノートブック等の文房具類が提案され、市場に流通するに至っている。
【考案の開示】
【考案が解決しようとする課題】
【０００３】
そして、本考案人は、鋭意研究の結果、斬新で興趣性の高い画期的な文房具類を考案するに至った。
【０００４】
この考案は上述の事柄に留意してなされたもので、その目的は、その斬新さや興趣性の高さにより販売促進を図ることができるだけでなく、宣伝広告用商品や贈答品、記念品としても用いることができる文房具類を提供することである。
【課題を解決するための手段】
【０００５】
上記目的を達成するために、本考案の文房具類は、表紙および裏表紙と、表紙および裏表紙の間に設けられたシート状部材とを備え、前記表紙および裏表紙が、服または服を着用した人の一部を模した外観を呈していることを特徴としている（請求項１）。
【０００６】
上記文房具類において、前記表紙が人の首を模した首部分を上部中央から上方に突出させた状態で有すると共に、この首部分の周囲に襟を模した襟部分を形成してあることが好ましい（請求項２）。
【０００７】
また、上記文房具類において、前記表紙および裏表紙が背表紙を介して一体的に形成されていてもよい（請求項３）。
【０００８】
さらに、上記文房具類において、表紙および裏表紙を布で被覆してあってもよい（請求項４）。
【０００９】
また、上記文房具類がアルバムであり、前記シート状部材が写真を保持するように構成されていてもよい（請求項５）。
【００１０】
また、上記文房具類がノートブック、手帳、日記帳、スケッチブックまたは本であり、前記シート状部材を紙で形成してあってもよい（請求項６）。
【００１１】
また、上記文房具類において、前記表紙および裏表紙が、ＴシャツまたはＴシャツ姿またはポロシャツまたはポロシャツ姿またはＹシャツまたはＹシャツ姿を模した外観を呈していてもよい（請求項７）。
【考案の効果】
【００１２】
請求項１に係る本考案では、前記表紙および裏表紙が服または服を着用した人の一部を模した外観を呈しているので、その斬新さや興趣性の高さにより販売促進を図ることができるだけでなく、宣伝広告用商品や贈答品、記念品としても用いることができる文房具類が得られる。
【００１３】
また、請求項２に係る考案では、上記首部分および襟部分の存在によってより立体感および興趣性が増し、上記効果がより良好に得られることになる。
【００１４】
さらに、請求項３に係る考案では、上記効果に加えて、表紙および裏表紙が一体的に形成されているので、製作工程が簡易になるという効果が得られる。
【００１５】
また、請求項４に係る考案では、外観が実物に近づき、上記効果の向上を図ることができる。
【００１６】
また、請求項５〜７に係る考案でも、上記効果と同様の効果が得られる。
【考案を実施するための最良の形態】
【００１７】
図１は、本考案の一実施の形態に係る文房具類の構成を概略的に示す斜視図、図２は、前記文房具類の構成を概略的に示す分解斜視図、図３は、前記文房具類の要部の構成を概略的に示す分解斜視図である。
【００１８】
この実施形態の文房具類は、ノートブックであり、図１に示すように、表紙１および裏表紙２と、表紙１および裏表紙２の間に設けられた複数のシート状部材３とを備えている。
【００１９】
ここで、図１に示すように、前記表紙１および裏表紙２は、背表紙４を介して一体的に形成（連結）されており、かつ、布で被覆されている。
【００２０】
また、表紙１および裏表紙２は、服（図示例ではポロシャツ）を着用した人の一部（首部から胴部にかけての部分）を模した外観（ポロシャツ姿を模した外観）を呈している。この実施形態では、前記表紙１は、人の首を模した首部分１ａを上部中央から上方に突出させた状態で有すると共に、この首部分１ａの周囲に襟を模した襟部分１ｂが形成されている。すなわち、表紙１および裏表紙２は服を着用した人の一部の前側および後側を模した外観を呈している。
【００２１】
また、前記シート状部材３は、鉛筆やペンなどの筆記具による筆記に適した紙によって形成されている。
【００２２】
次に、上記文房具類の構成について、図２および図３をも参照しながらより詳しく説明する。まず、図２に示すように、前記複数のシート状部材３は、台紙５の中央部分５ａに例えば接着剤により接着されている。
【００２３】
そして、前記台紙５は、図２に示すように、例えば厚紙からなるベース部材６に接着剤等により接着される。ここで、前記ベース部材６には、図１に示す前記表紙１、裏表紙２および背表紙４に対応する表紙部分６ａ、裏表紙部分６ｂおよび背表紙部分６ｃが設けられており、前記台紙５の中央部分５ａは背表紙部分６ｃに、台紙５の左右部分はそれぞれ表紙部分６ａ，裏表紙部分６ｂに接着される。
【００２４】
また、図２に示すように、前記ベース部材６は例えば布製のカバー部材７で覆われ、このカバー部材７は接着剤によりベース部材６に接着される。なお、カバー部材７は、図２に示すように、上下左右に折り返し部分７ａを有し、ベース部材６の表側（台紙５が固定される側と逆側）を完全に覆えるように構成されている。
【００２５】
ここで、図２および図３に示すように、前記ベース部材６の表紙部分６ａの上部中央には、上方に突出する突出部８が形成されており、この突出部８には図２に示すように首部分１ａが接着剤による接着等により取り付けられる。この首部分１ａは、例えば肌色の布からなり、突出部８を覆うように構成されている。
【００２６】
そして、図２および図３に示すように、ベース部材６をカバー部材７で覆う際に、前記突出部８とカバー部材７の前記襟部分１ｂとが合致するように構成されており、また、突出部８に首部分１ａが取り付けられた状態のベース部材６をカバー部材７で覆うと、襟部分１ｂの内側に首部分１ａが露出するように構成されている。
【００２７】
なお、本考案の文房具類はノートブックに限らず、表紙１と裏表紙２とシート状部材３とを備えた文房具類であればよく、そのような文房具類としては、アルバム、手帳、日記帳、スケッチブックまたは本等が挙げられる。そして、例えば、本考案の文房具類を図４に示すようなアルバムとする場合、前記シート状部材３は写真を保持するように構成されたものであればよい。
【００２８】
また、図１〜図３には、前記表紙１および裏表紙２がポロシャツまたはポロシャツ姿を模した外観を呈する例を示したが、これに限らず、例えば、図４および図５に示すように、ＴシャツまたはＴシャツ姿を模した外観を呈するものであってもよく、その他、ＹシャツまたはＹシャツ姿を模した外観を呈するものであってもよい。
【００２９】
さらに、表紙１および裏表紙２が、様々な職業（例えば警察官や消防隊員）や学校、幼稚園、企業等にまつわる制服や種々のスポーツ（例えば野球やサッカー）に関するユニフォーム等を模した外観を呈するものであってもよい。
【００３０】
また、上記実施形態では、首部分１ａとベース部材６とを別体としてあるが、一体的に形成してあってもよい。
【図面の簡単な説明】
【００３１】
【図１】本考案の一実施の形態に係る文房具類の構成を概略的に示す斜視図である。
【図２】前記文房具類の構成を概略的に示す分解斜視図である。
【図３】前記文房具類の要部の構成を概略的に示す分解斜視図である。
【図４】変形例に係る文房具類の構成を概略的に示す斜視図である。
【図５】前記文房具類の要部の構成を概略的に示す分解斜視図である。
【符号の説明】
【００３２】
１  表紙
２  裏表紙
３  シート状部材
４  背表紙
【図１】
0003127065.tif 000003
【図２】
0003127065.tif 000004
【図３】
0003127065.tif 000005
【図４】
0003127065.tif 000006
【図５】
0003127065.tif 000007